(57)【要約】【課題】床パネルに加わる子供の飛び跳ね等の衝撃に対する防振性能を十分に発揮でき、階下への騒音を効果的に抑制することができる防振支持具及び二重床支持構造を提供すること。【解決手段】床パネルＰは、スラブＳ上に設置されて床パネルＰの下面側を支持する防振支持具１０を介して支持されている。防振支持具１０は、床パネルＰの下面側に位置する支持脚１１と、この支持脚１１に取り付けられた防振弾性体１２と、スラブＳ上に設けられて防振弾性体１２を支持する緩衝支持手段１３とを備えて構成されている。緩衝支持手段１３は、床パネルＰに重量床衝撃音等の衝撃力が付与されたときに、防振弾性体１２を下方に移動させるとともに、防振弾性体１２の応力を緩和する移動退避領域Ｈを備えている。【選択図】　　　　　図３
2004068536.tif 000002
【特許請求の範囲】
【請求項１】
スラブ上に配置される床パネルの下面側を支持する防振支持具において、
前記床パネルの支持脚に取り付けられた防振弾性体と、前記スラブ上に設けられて防振弾性体を支持する緩衝支持手段とを備え、
前記緩衝支持手段は、前記床パネルに所定の衝撃力が付与されたときに、防振弾性体を下方に移動させて当該防振弾性体の応力を緩和する移動退避領域を備えていることを特徴とする防振支持具。
【請求項２】
前記緩衝支持手段は、床パネルに付与された衝撃力を防振弾性体の弾性範囲で吸収可能なときに、防振弾性体の下方への移動を規制可能な位置決め手段を含んでいることを特徴とする請求項１記載の防振支持具。
【請求項３】
スラブ上の複数箇所に配置された防振支持具と、これら防振支持具に下面側から支持される床パネルとを備え、床パネルとスラブとの間に一定の空間を形成した二重床支持構造であって、
前記床パネルの支持脚に取り付けられた防振弾性体と、前記スラブ上に設けられて防振弾性体を支持する緩衝支持手段とを含み、
前記緩衝支持手段は、前記床パネルに所定の衝撃力が付与されたときに、防振弾性体を下方に移動させて当該防振弾性体の応力を低減する移動退避領域を備え、
前記移動退避領域に少なくとも一つの防振弾性体が移動したときに、当該防振弾性体の周りに位置する他の防振支持具の防振弾性体により床パネルの振動が吸収可能に設けられていることを特徴とする二重床支持構造。
【発明の詳細な説明】
【０００１】
【発明の属する技術分野】
本発明は、防振支持具及び二重床支持構造に係り、特に、床パネルに付与された衝撃を吸収し、階下への騒音を低減することができる防振支持具及び二重床支持構造に関する。
【０００２】
【従来の技術】
従来より、コンクリートスラブの上面側複数箇所に防振支持具を配置し、これらの防振支持具に床パネルを支持させてスラブとの間に一定の空間を形成するようにした二重床が知られている。この二重床に用いられる防振支持具としては、床パネルの下面側に位置する受け板と、この受け板を支えるボルトからなる支持脚と、この支持脚の下部領域に設けられてスラブ上に設置される防振ゴムとを備えたタイプのものが存在する。このような構成において、軽量床衝撃音を発生させる衝撃力が床パネルに付与された場合、防振ゴムの弾力により床パネルの振動を吸収できるようになっている。
【０００３】
【発明が解決しようとする課題】
しかしながら、このような二重床にあっては、子供の飛び跳ね等の重量床衝撃音が発生したときに、床パネルが大きく撓んで一箇所の防振支持具に集中して衝撃力が加わる場合がある。このとき、防振ゴム内に過大な圧縮応力が生じ、防振ゴムが弾性範囲を超えて硬くなるため、振動を吸収し得る弾力を発揮することができず、期待する防振効果を得ることが困難になるという不都合を生じる。このため、床パネルに生じた振動がスラブに伝播してしまい、結果として、階下で発生する床衝撃音の低減を図ることができないという不都合を招来する。
【０００４】
【発明の目的】
本発明は、このような不都合に着目して案出されたものであり、その目的は、特に、重量床衝撃音に対する防振性能を十分に発揮でき、階下への騒音を効果的に抑制することができる防振支持具及び二重床支持構造を提供することにある。
【０００５】
【課題を解決するための手段】
前記目的を達成するため、本発明は、スラブ上に配置される床パネルの下面側を支持する防振支持具において、
前記床パネルの支持脚に取り付けられた防振弾性体と、前記スラブ上に設けられて防振弾性体を支持する緩衝支持手段とを備え、
前記緩衝支持手段は、前記床パネルに所定の衝撃力が付与されたときに、防振弾性体を下方に移動させて当該防振弾性体の応力を緩和する移動退避領域を備える、という構成を採っている。このような構成によれば、例えば、重量床衝撃音を発生させる衝撃が床パネルに作用したときに、防振弾性体が圧縮されて硬くなることを防止でき、防振弾性体を経由してスラブに伝播する振動を遮断することができる。これにより、子供の飛び跳ね等により階下で発生する重量床衝撃音を効果的に抑制することができ、従来例に示される不都合を解消することが可能となる。
【０００６】
また、本発明は、スラブ上の複数箇所に配置された防振支持具と、これら防振支持具に下面側から支持される床パネルとを備え、床パネルとスラブとの間に一定の空間を形成した二重床支持構造であって、
前記床パネルの支持脚に取り付けられた防振弾性体と、前記スラブ上に設けられて防振弾性体を支持する緩衝支持手段とを含み、
前記緩衝支持手段は、前記床パネルに所定の衝撃力が付与されたときに、防振弾性体を下方に移動させて当該防振弾性体の応力を低減する移動退避領域を備え、
前記移動退避領域に少なくとも一つの防振弾性体が移動したときに、当該防振弾性体の周りに位置する他の防振支持具の防振弾性体により床パネルの振動が吸収可能に設けられる、という構成も採用することができる。このような構成により、一箇所に大荷重が付与された場合、床パネルの撓みの大きい箇所では、移動退避領域内に防振弾性体が移動して衝撃が緩和される一方、床パネルの小さい箇所では、防振弾性体の弾力により衝撃を吸収することができる。従って、荷重の付与された位置を中心とする一定領域内の複数の防振支持具により連携して床パネルの振動を吸収することができ、大荷重に対応した防振効果を効率良く発揮させることが可能となる。
【０００７】
【発明の実施の形態】
本発明において、前記緩衝支持手段は、床パネルに付与された衝撃力を防振弾性体の弾性範囲で吸収可能なときに、防振弾性体の下方への移動を規制可能な位置決め手段を含む、という構成を採ることが好ましい。このような構成によれば、床パネルの撓みを殆ど生じない軽量床衝撃音等の衝撃に対して、防振弾性体の弾力により振動を吸収することができる。これにより、前述した効果と相俟って、軽量床衝撃音及び重量床衝撃音の双方に対する防振性能を発揮でき、振動伝播を効果的に低減することができる。
【０００８】
【実施例】
以下、本発明の実施例を図面を参照しながら説明する。
【０００９】
［第１実施例］
図１には、第１の実施例に係る二重床の正面図が示され、図２には、その平面図が示されている。これらの図において、コンクリート製のスラブＳの上面側で空間Ｃを形成する所定の高さ位置に床パネルＰを配置して二重床が形成されている。この床パネルＰは、前記スラブＳ上に設置されて床パネルＰの下面側に配置された複数の防振支持具１０を介して支持されている。ここで、本実施例における床パネルＰは、特に限定されるものではないが、下地パネルＰ１と、フローリング等からなる仕上げパネルＰ２とからなる複層構造体によって構成されている。
【００１０】
前記防振支持具１０は、図２に示されるように、平面視縦方向及び横方向に沿って一定間隔を隔てて各床パネルＰのコーナー対応領域に設置されている。防振支持具１０は、図３に示されるように、床パネルＰの下面側に位置する支持脚１１と、この支持脚１１に取り付けられた防振弾性体１２と、スラブＳ上に設けられて防振弾性体１２を支持する緩衝支持手段１３とを備えて構成されている。
【００１１】
支持脚１１は、上下方向に軸線が向けられたボルト部材１１Ａと、このボルト部材１１Ａの上端側にねじ込まれたナット部材１１Ｂとからなり、このナット部材１１Ｂの外周側に、前記床パネルＰの下面側に位置する平面視略方形の受け板１５が設けられている。ナット部材１１Ｂ及び受け板１５は、ボルト部材１１Ａの軸周り方向に回転操作することで上下方向に進退可能に設けられ、これにより、床パネルＰの施工前に、受け板１５の高さ調整を行えるようになっている。
【００１２】
前記防振弾性体１２は、本実施例では、円筒状をなすゴムにより構成されている。この防振弾性体１２の上下両面には、当該防振弾性体１２と略同じ平面形状を有する金属板１６Ａ，１６Ｂが取り付けられ、上側の金属板１６Ａの面内中央部に前記ボルト部材１１Ａの下端部が固定されている。
【００１３】
前記緩衝支持手段１３は、スラブＳの上面に設置されるとともに、上部開放型の箱状をなす受容部１８と、この受容部１８内に設けられた左右一対の可動プレート１９，１９と、各可動プレート１９，１９の下側に位置するばね部材２０，２０とを備えて構成され、可動プレート１９，１９の下方領域を防振弾性体１２の移動退避領域Ｈとして形成するようになっている。ここにおいて、可動プレート１９，１９及びばね部材２０，２０により位置決め手段２１が構成されている。
【００１４】
前記受容部１８は、図４にも示されるように、平面視略方形状の底面部２３と、この底面部２３の図４中左右両側より起立する左面部２４及び右面部２５と、底面部２３の同図中上下両側から起立する前面部２６及び後面部２７とにより構成され、この内部に防振弾性体１２が受容可能に設けられている。前面部２６及び後面部２７間において、図４中上下方向中央領域における左右両側には、可動プレート１９，１９の基端側を貫通する軸部材２９，２９がそれぞれ設けられている。
【００１５】
前記各可動プレート１９は、防振弾性体１２を下面側から支持可能に設けられ、図３に示される略水平位置と図５に示される略鉛直位置との間で回転する観音扉に近似した構成となっている。具体的には、各可動プレート１９は、前記軸部材２９を介して受容部１８の内側に支持されるとともに、常時は、金属板１６Ｂの下面に沿って位置する水平面部３０と、この水平面部３０に連なるとともに、自由端側一定領域が斜め下方に向けられた傾斜面部３１とを備えて構成されている。
【００１６】
前記ばね部材２０は、傾斜面部３１の先端側と左面部２４及び右面部２５の下端側との間を連結するコイルばねにより構成されている。ここで、ばね部材２０の弾性力は、防振弾性体１２の弾性範囲で吸収可能な衝撃力が床パネルＰに付与されたときに、可動プレート１９を略水平位置に保持可能に設定される一方、前記弾性範囲を超える衝撃力が付与されたときに、可動プレート１９，１９の回転を許容する程度に設定されている。なお、ばね部材２０は、コイルばねに限定されず、前述と同様の弾性力を発揮するものであれば、板ばねや軸部材周りに位置する戻しばね等に代替してもよい。
【００１７】
以上の構成において、床パネルＰに防振弾性体１２の弾性範囲で吸収可能な衝撃力、例えば、軽量床衝撃音を発生させる衝撃力が付与された場合、可動プレート１９の位置がばね部材２０により略一定に保持されるため、防振弾性体１２の下方への移動が規制される。つまり、ばね部材２０が殆ど変形することなく、防振弾性体１２のみで前記衝撃により発生する床パネルＰの振動が吸収されることとなる。
【００１８】
この一方、床パネルＰに防振弾性体１２の弾性範囲を超えるような衝撃力、例えば、重量床衝撃音を発生させる衝撃力が付与された場合、図５に示されるように、床パネルＰが下方に撓んで防振弾性体１２を下方に移動させる。この際、防振弾性体１２によって押し下げられるように、可動プレート１９，１９がばね部材２０の弾力に抗して下向きに回転し、防振弾性体１２が移動退避領域Ｈ内に位置するとともに、可動プレート１９の各傾斜面部３０により左右両側から挟まれるような姿勢となる。このとき、防振弾性体１２が下方から支持されずに浮いたような状態となり、防振弾性体１２の圧縮応力が緩和されてスラブＳに伝播する振動を極力少なくすることができる。この後、ばね部材２０の復帰力による可動プレート１９の上方への回転作用と、床パネルＰ自体の弾性作用とにより防振弾性体１２が持ち上がられ、床パネルＰ及び防振弾性体１２等が図３に示される初期位置に復帰する。
【００１９】
ここで、図２に示されるＸ５位置に、前述した重量床衝撃音を発生させる衝撃力が付与された場合、Ｘ５位置では床パネルＰの撓みが大きくなるため、Ｘ５位置の直下に位置する防振支持具１０の防振弾性体１２が移動退避領域Ｈ内に移動する。また、Ｘ５位置の周りに位置するＸ１〜Ｘ４，Ｘ６〜Ｘ９位置では、床パネルＰの撓みが相対的に小さいため、これらの直下に位置する防振支持具１０における防振弾性体１２の弾力により床パネルＰの振動を吸収することとなる。このとき、Ｘ５位置に付与した衝撃は、Ｘ１〜Ｘ４，Ｘ６〜Ｘ９位置の防振支持具１０に分散して作用するため、防振弾性体１２の弾性範囲で衝撃を吸収可能となっている。なお、前述した二タイプの防振支持具１０の作用は、床パネルＰに付与される衝撃の大きさ及び位置に応じて決定され、例えば、複数の防振支持具１０の防振弾性体１２を移動退避領域Ｈ内に移動させ、これらの周りの防振支持具１０における防振弾性体１２により衝撃を吸収してもよい。
【００２０】
従って、このような第１の実施例によれば、複数箇所の防振支持具１０により床パネルＰに作用する衝撃力を緩和及び吸収可能としたから、振動エネルギーを効果的に減衰させることができ、特に重量床衝撃音に十分に対応できるという優れた効果を得る。また、防振弾性体１２は、移動退避領域Ｈ内に位置するときに、下方からの支持を失って床パネルＰにぶら下がったような状態となるため、当該防振弾性体１２に生じる応力を極めて小さくすることができ、これにより、防振弾性体１２への負荷を低減して長期に亘って安定的な防振効果を得ることができる。
【００２１】
次に、本発明の前記以外の実施例について説明する。なお、以下の説明において、前記第１の実施例と同一若しくは同等の構成部分については必要に応じて同一符号を用いるものとし、説明を省略若しくは簡略にする。
【００２２】
［第２実施例］
図６及び図７には、本発明の第２の実施例が示されている。この実施例は、位置決め手段３３を正面視Ｘ型となるリンク機構３４を含んで構成としたものである。すなわち、第２の実施例における位置決め手段３３は、前記リンク機構３４を介して支持されて金属板１６Ｂの下面側に接するとともに、下方に防振支持体１２の移動退避領域Ｈを形成する板状の可動部材３５と、リンク機構３４と受容部１８との間に設けられたばね部材３６とを備えて構成されている。
【００２３】
前記リンク機構３４は、可動部材３５及び底面部２３の相対面における左右両側位置にそれぞれ設けられた四つの軸受部材３８と、各軸受部材３８にピン３９を介して回転可能に連結されるとともに、正面視Ｘ型となるように設けられた一対の細長いリンクバー４０，４０とを備えて構成されている。図６中右側に位置する上下二つの軸受部材３８には、左右方向に延びるスロット穴３８Ａがそれぞれ設けられ、これらスロット穴３８Ａ内で左右方向にピン３９をスライド移動させることで可動部材３５の上下動を許容するようになっている。
【００２４】
前記ばね部材３６は、図６中下側に位置するスロット穴３８Ａ内のピン３９と右面部２５の下端側との間に延びるコイルばねにより構成されている。このばね部材３６の弾性力は、防振弾性体１２の弾性範囲となる衝撃力が床パネルＰに付与されたときに、ピン３９の移動を規制して可動部材３５の高さ位置を保持可能に設定される一方、前記弾性範囲を超える衝撃力が付与されたときに、可動部材３５の下方への移動を許容するように設定されている。
【００２５】
以上の構成において、床パネルＰに重量床衝撃音を発生させる衝撃力が付与された場合、図７に示されるように、可動部材３５がばね部材３６の弾力に抗して防振弾性体１２により押し下げられ、防振弾性体１２が下方へ移動して移動退避領域Ｈ内に位置する。この後、防振弾性体１２は、床パネルＰの弾性力及びばね部材２０の弾力により可動部材３５と共に上方に持ち上げられ、図６に示される初期位置に復帰する。
【００２６】
従って、このような第２の実施例によっても、前記第１の実施例と同様の作用、効果を得ることができ、且つ、防振弾性体１２をより安定的に上下動させることができる。
【００２７】
［第３実施例］
図８には、本発明の第３の実施例が示されている。この実施例は、位置決め手段を底面部２３に配置された一枚の板部材４２により構成したものである。この板部材４２は、左右方向中央部が上方に膨らむ正面視山型に形成されているとともに、その上端側で防振弾性体１２を支持するようになっている。また、板部材４２は、上下方向の高さが変位するように弾性変形可能に設けられている。板部材４２の弾性力は、床パネルＰに衝撃力が付与されたときに、前述した第１の実施例と同様に、防振弾性体１２を移動させるように設定されている。
【００２８】
従って、このような第３の実施例によっても、前述と同様に、床パネルＰの衝撃を吸収及び緩和することができる他、簡易な構成により位置決め手段を形成することができる。
【００２９】
なお、本発明における位置決め手段は、前記各実施例で図示、説明した構成に限られるものでなく、種々の設計変更が可能である。例えば、第１の実施例におけるばね部材２０を可動プレート１９の上側から吊持するように設けたり、ばね部材２０に代えて、可動プレート１９，１９及び受容部１８との間に磁石を設け、当該磁石の磁力によりばね部材２０と同様の作用を発揮させるような構成としてもよい。要するに、本発明は、床パネルＰに所定の衝撃力が付与されたときに、防振弾性体１２の応力を緩和可能な構成とすれば足りる。
【００３０】
【発明の効果】
以上説明したように、本発明における緩衝支持手段は、床パネルに所定の衝撃力が付与されたときに、防振弾性体を下方に移動させ、その応力を緩和する移動退避領域を備えているから、床パネルに重量床衝撃音等を発生させたときに、防振弾性体が圧縮されて硬くなることを回避することができる。これにより、スラブへの振動伝播を遮断して階下で発生する床衝撃音を効果的に低減することが可能となる。
【００３１】
また、防振弾性体及び移動退避領域を備えた複数の防振支持具により床パネルを支持する構成としたから、防振支持具の設置位置における床パネルの撓みの大きさに応じて衝撃を緩和ないし吸収することができ、複数の防振支持具により連携して床パネルの振動を吸収することが可能となる。
【００３２】
更に、床パネルに付与された衝撃力を防振弾性体の弾性範囲で吸収可能な場合には、位置決め手段により防振弾性体の下方への移動が規制されるから、軽量床衝撃音等の衝撃に対しては防振弾性体の弾力により振動を吸収することができ、幅広い衝撃音レベルで防振効果を得ることが可能となる。
【図面の簡単な説明】
【図１】第１の実施例に係る二重床の概略正面図。
【図２】図１の平面図。
【図３】図１の要部を拡大した一部断面正面図。
【図４】図３のＡ−Ａ線に沿う断面図。
【図５】防振弾性体が移動退避領域に移動した状態を示す図１と同様の正面図。
【図６】第２の実施例に係る防振支持具を示す図３と同様の正面図。
【図７】防振弾性体が移動退避領域に移動した状態を示す図６と同様の正面図。
【図８】第３の実施例に係る防振支持具を示す図３と同様の正面図。
【符号の説明】
１０・・・防振支持具、１１・・・支持脚、１２・・・防振弾性体、１３・・・緩衝支持手段、２１・・・位置決め手段、３３・・・位置決め手段、４２・・・板部材（位置決め手段）、Ｃ・・・空間、Ｈ・・・移動退避領域、Ｓ・・・コンクリートスラブ、Ｐ・・・床パネル
【図１】
2004068536.tif 000003
【図２】
2004068536.tif 000004
【図３】
2004068536.tif 000005
【図４】
2004068536.tif 000006
【図５】
2004068536.tif 000007
【図６】
2004068536.tif 000008
【図７】
2004068536.tif 000009
【図８】
2004068536.tif 000010